(57)【要約】  ある通信網と他通信網とを相互接続するために使用される網間接続制御装置において、前記通信網における発信元ユーザ装置から送信された接続要求信号を前記他通信網に転送する要求信号転送部と、前記接続要求信号を受信した前記他通信網において分岐され、複数の着信先ユーザ装置に転送された当該接続要求信号に対する複数の応答信号を当該他通信網から受信し、当該複数の応答信号における１つの応答信号を前記発信元ユーザ装置に転送する応答信号処理部とを備える。
2016104622.tif 000002
【特許請求の範囲】
【請求項１】
ある通信網と他通信網とを相互接続するために使用される網間接続制御装置であって、
前記通信網における発信元ユーザ装置から送信された接続要求信号を前記他通信網に転送する要求信号転送部と、
前記接続要求信号を受信した前記他通信網において分岐され、複数の着信先ユーザ装置に転送された当該接続要求信号に対する複数の応答信号を当該他通信網から受信し、当該複数の応答信号における１つの応答信号を前記発信元ユーザ装置に転送する応答信号処理部と
を備える網間接続制御装置。
【請求項２】
前記応答信号処理部は、前記他通信網から受信する複数の応答信号のうち、最初に受信した応答信号を前記発信元ユーザ装置に転送する
請求項１に記載の網間接続制御装置。
【請求項３】
前記要求信号転送部は、前記接続要求信号の発信元である前記通信網において、接続要求信号を分岐させて着信させるフォーキングサービスがサポートされているか否かを判定し、前記通信網において当該フォーキングサービスがサポートされている場合に、前記応答信号処理部は、前記複数の応答信号を前記発信元ユーザ装置に転送する
請求項１又は２に記載の網間接続制御装置。
【請求項４】
前記応答信号は暫定応答信号であり、前記応答信号処理部が当該暫定応答信号を前記発信元ユーザ装置に転送することにより、当該発信元ユーザ装置にアーリーダイアログを確立させる
請求項１ないし３のうちいずれか１項に記載の網間接続制御装置。
【請求項５】
前記応答信号処理部は、前記１つの応答信号を前記発信元ユーザ装置に転送した後、当該応答信号に対応する着信先ユーザ装置以外の着信先ユーザ装置から送信された最終応答信号を前記他通信網から受信した場合に、前記発信元ユーザ装置に対して呼の切り替えを指示する信号を送信した後に、前記最終応答信号を前記発信元ユーザ装置に送信する
請求項１ないし４のうちいずれか１項に記載の網間接続制御装置。
【請求項６】
前記各通信網は、ＳＩＰによるセッション制御が行われる通信網であり、前記網間接続制御装置は、通信網の境界部分に備えられる
請求項１ないし５のうちいずれか１項に記載の網間接続制御装置。
【請求項７】
ある通信網と他通信網とを相互接続するために使用される網間接続制御装置が実行する接続制御方法であって、
前記通信網における発信元ユーザ装置から送信された接続要求信号を前記他通信網に転送する要求信号転送ステップと、
前記接続要求信号を受信した前記他通信網において分岐され、複数の着信先ユーザ装置に転送された当該接続要求信号に対する複数の応答信号を当該他通信網から受信し、当該複数の応答信号における１つの応答信号を前記発信元ユーザ装置に転送する応答信号処理ステップと
を備える接続制御方法。
【請求項８】
ある通信網と他通信網とを相互接続するために使用される網間接続制御装置と、前記他通信網に備えられる分岐サービス装置とを含む通信システムにおいて実行される接続制御方法であって、
前記網間接続制御装置が、前記通信網における発信元ユーザ装置から送信された接続要求信号を前記他通信網における前記分岐サービス装置に転送するステップと、
前記接続要求信号を受信した前記分岐サービス装置が、当該接続要求信号を分岐し、複数の着信先ユーザ装置に転送し、当該接続要求信号に対する複数の応答信号を当該複数の着信先ユーザ装置から受信し、前記網間接続制御装置に送信するステップと、
前記網間接続制御装置が、前記複数の応答信号を前記分岐サービス装置から受信し、当該複数の応答信号における１つの応答信号を前記発信元ユーザ装置に転送するステップと
を備える接続制御方法。
【発明の詳細な説明】
【技術分野】
【０００１】
本発明は、通信網間の相互接続技術に関連するものである。
【背景技術】
【０００２】
通信事業者が柔軟かつ安全にユーザへＩＰマルチメディアサービスを提供できるプラットフォームとしてＩＭＳ（ＩＰ  Ｍｕｌｔｉｍｅｄｉａ  Ｓｕｂｓｙｓｔｅｍ）が標準化されている（非特許文献１）。【０００３】
例えば移動体通信事業者（以下、事業者と呼ぶ）は、ＩＭＳによりＩＰベースの網（コアネットワーク）を構築し、ＬＴＥ／３Ｇ等のアクセス網を介してユーザに移動体通信サービスを提供している。また、事業者間で網をＩＰ相互接続（以下、相互接続と呼ぶ）することで、異なる事業者に加入するユーザ間での通信を可能としている。
【先行技術文献】
【非特許文献】
【０００４】
【非特許文献１】3GPP TS 23.228 V13.0.0 (2014-09)
【非特許文献２】3GPP TS 24.182 V12.0.0 (2014-06)
【発明の概要】
【発明が解決しようとする課題】
【０００５】
ＩＭＳ網のようなＳＩＰ（Ｓｅｓｓｉｏｎ  Ｉｎｉｔｉａｔｉｏｎ  Ｐｒｏｔｏｃｏｌ）網において、網内の装置が、受信した要求を分岐させて複数の宛先に送信するフォーキング（ｆｏｒｋｉｎｇ、分岐送信）のサービスをサポートしている場合がある。フォーキングを用いたサービスの例として、非特許文献２の３ＧＰＰ標準規格に規定されているＣＡＴ（Ｃｕｓｔｏｍｉｚｅｄ  Ａｌｅｒｔｉｎｇ  Ｔｏｎｅｓ）メディア送信におけるフォーキングモデル（ｆｏｒｋｉｎｇ  ｍｏｄｅｌ）がある。【０００６】
当該ＣＡＴメディア送信サービスでは、ＣＡＴ−ＡＳが１つ又は複数の着信側ＵＥ（ユーザ装置）に対してフォーキングで接続要求信号を送信することで発着ＵＥ間のアーリーダイアログを確立するとともに、ＣＡＴ−ＡＳと発信側ＵＥとの間でアーリーダイアログを確立し、当該ダイアログでアーリーメディアを発信側ＵＥに送信する。着信側ＵＥから最終応答を受けた場合にアーリーメディアを停止する。【０００７】
なお、一般にアーリーメディアとは、発信側ＵＥが接続要求を送信し、着信側ＵＥが最終応答する前の暫定応答でメディアパスを確立することであり、例えば、サービス提供者がリングバックトーンを提供したり、アナウンスを提供する場合等に使用される。【０００８】
図１、図２を参照して、事業者網間で相互接続を行う場合に、例えばＣＡＴメディアのフォーキングモデルのようにフォーキングを実施する例について説明する。【０００９】
図１、図２に示す構成例では、事業者Ａの網である事業者Ａ網、事業者Ｂの網である事業者Ｂ網、事業者Ｃの網である事業者Ｃ網が相互接続されている。【００１０】
図１は、特に事業者Ａ網に着目した図であり、事業者Ａ網の境界部分に備えられる網間接続制御装置１０が示されているが、他の事業者網の境界部分にも網間接続制御装置が備えられてもよい。従来の網間接続制御装置１０は、基本的に、ある網から受信する信号（要求、応答）を他の網に転送する動作を行う。つまり、複数の信号をある網から受信した場合は、当該複数の信号を他の網に転送する。【００１１】
図１の例では、事業者Ａ網及び事業者Ｃ網はＩＭＳ網であり、上記フォーキングをサポートしている。事業者Ｂ網は非ＩＭＳ網であり、フォーキングをサポートしていない。例えば、事業者Ｂ網は、事業者Ｂの社内向けのＩＰセントレックス網である。なお、フォーキングをサポートしているとは、例えば、非特許文献２で規定されているＣＡＴのフォーキングモデルをサポートしていることである。ただし、非特許文献２で規定されているＣＡＴのフォーキングモデルをサポートしていない場合であっても、他のサービスに係るフォーキングをサポートしている場合はある。また、非特許文献２で規定されているＣＡＴのフォーキング以外のゲートウェイモデル等をサポートしている場合もある。事業者Ｂ網は、いずれのフォーキングもサポートしていないものとする。なお、フォーキングでは、１つの接続要求信号に対して複数の応答信号が返されることから、フォーキングを実施するためには、網内の装置において、１つの接続要求信号に基づく複数のアーリーダイアログを管理する等、フォーキングを行うための機能が必要である。【００１２】
図１、２に示すように、事業者Ｃ網には、フォーキングにより接続要求信号を送信する機能を含む分岐サービス装置２０が備えられている。当該分岐サービス装置２０は例えばＣＡＴ−ＡＳである。【００１３】
図１を参照して、まず、フォーキングをサポートする事業者Ａの加入者であるユーザＡ（ＵＥ−Ａ）から、事業者Ｃの加入者であるユーザＣ１、Ｃ２、Ｃ３に発信を行う場合の手順例を説明する。【００１４】
ユーザＡがＵＥ−Ａにおいて、例えば、ＵＥ−Ｃ１〜Ｃ３に共通の代表番号（以下、ユーザＣ代表番号と呼ぶ）に発信する操作を行うと、ユーザＣ代表番号を宛先として含む接続要求信号が送出され、当該接続要求信号は網間接続制御装置１０を経由して分岐サービス装置２０に転送される（ステップ１）。【００１５】
分岐サービス装置２０は、接続要求信号を、ユーザＣ代表番号に該当するＵＥ−Ｃ１〜Ｃ３に送信する（ステップ２〜４）。【００１６】
その後、ＵＥ−Ｃ１〜Ｃ３から応答信号（例：暫定応答信号）が返され、各ＵＥからの応答信号は、分岐サービス装置２０から網間接続制御装置１０を経由して発信元のＵＥ−Ａに返される（図１においてＣ１、Ｃ２、Ｃ３で示す線）。図１に示した例では、事業者Ａ網がフォーキングをサポートしているため、事業者Ａ網は１つの接続要求信号に対する複数の応答信号に対応でき、正常にフォーキング動作を行うことができる。【００１７】
次に、図２を参照して、フォーキングをサポートしない事業者Ｂの加入者であるユーザＢ（ＵＥ−Ｂ）から、事業者Ｃの加入者であるユーザＣ１、Ｃ２、Ｃ３に発信を行う場合の手順例を説明する。【００１８】
ユーザＢがＵＥ−Ｂにおいて、ユーザＣ代表番号に発信する操作を行うと、ユーザＣ代表番号を宛先として含む接続要求信号が送出され、当該接続要求信号は網間接続制御装置１０を経由して分岐サービス装置２０に転送される（ステップ１）。【００１９】
分岐サービス装置２０は、接続要求信号を、ユーザＣ代表番号に該当するＵＥ−Ｃ１〜Ｃ３に送信する（ステップ２〜４）。【００２０】
その後、ＵＥ−Ｃ１〜Ｃ３から応答信号（例：暫定応答信号）が返され、各ＵＥからの応答信号は、分岐サービス装置２０から網間接続制御装置１０に転送され、網間接続制御装置１０は、各応答信号をＵＥ−Ｂに向けて送出する（図２においてＣ１、Ｃ２、Ｃ３で示す線）。しかし、事業者Ｂ網はフォーキングをサポートしていないので、事業者Ｂ網において、適切な動作を行うことができず、応答信号が適切にＵＥ−Ｂに届かずに、アーリーダイアログが確立されない可能性がある。これにより、例えば、分岐サービス装置２０がＣＡＴメディアサービスを提供する装置である場合、ＵＥ−Ｂには、アーリーメディアが流れない可能性がある。また、フォーキングをサポートしない事業者Ｂは、どのダイアログと接続すべきかの判定ができず、誤接続となる可能性もある。【００２１】
また、信号を中継する網においてフォーキングをサポートしているが、当該網に接続される発信元の端末（ＵＥ）がフォーキングをサポートしていない場合にも、上記の誤接続等が生じる可能性がある。下記の目的の記載における「通信網」は、信号を中継する網と当該端末とを含む広い意味で使用している。【００２２】
本発明は上記の点に鑑みてなされたものであり、複数の通信網が接続された相互接続網において、フォーキングをサポートする通信網とフォーキングをサポートしない通信網間でフォーキングに係る通信を適切に行うことを可能とする技術を提供することを目的とする。
【課題を解決するための手段】
【００２３】
本発明の実施の形態によれば、ある通信網と他通信網とを相互接続するために使用される網間接続制御装置であって、
前記通信網における発信元ユーザ装置から送信された接続要求信号を前記他通信網に転送する要求信号転送部と、
前記接続要求信号を受信した前記他通信網において分岐され、複数の着信先ユーザ装置に転送された当該接続要求信号に対する複数の応答信号を当該他通信網から受信し、当該複数の応答信号における１つの応答信号を前記発信元ユーザ装置に転送する応答信号処理部と
を備える網間接続制御装置が提供される。【００２４】
また、本発明の実施の形態によれば、ある通信網と他通信網とを相互接続するために使用される網間接続制御装置が実行する接続制御方法であって、
前記通信網における発信元ユーザ装置から送信された接続要求信号を前記他通信網に転送する要求信号転送ステップと、
前記接続要求信号を受信した前記他通信網において分岐され、複数の着信先ユーザ装置に転送された当該接続要求信号に対する複数の応答信号を当該他通信網から受信し、当該複数の応答信号における１つの応答信号を前記発信元ユーザ装置に転送する応答信号処理ステップと
を備える接続制御方法が提供される。【００２５】
また、本発明の実施の形態によれば、ある通信網と他通信網とを相互接続するために使用される網間接続制御装置と、前記他通信網に備えられる分岐サービス装置とを含む通信システムにおいて実行される接続制御方法であって、
前記網間接続制御装置が、前記通信網における発信元ユーザ装置から送信された接続要求信号を前記他通信網における前記分岐サービス装置に転送するステップと、
前記接続要求信号を受信した前記分岐サービス装置が、当該接続要求信号を分岐し、複数の着信先ユーザ装置に転送し、当該接続要求信号に対する複数の応答信号を当該複数の着信先ユーザ装置から受信し、前記網間接続制御装置に送信するステップと、
前記網間接続制御装置が、前記複数の応答信号を前記分岐サービス装置から受信し、当該複数の応答信号における１つの応答信号を前記発信元ユーザ装置に転送するステップと
を備える接続制御方法が提供される。
【発明の効果】
【００２６】
本発明の実施の形態によれば、複数の通信網が接続された相互接続網において、フォーキングをサポートする通信網とフォーキングをサポートしない通信網間でフォーキングに係る通信を適切に行うことを可能とする技術が提供される。
【図面の簡単な説明】
【００２７】
【図１】課題を説明するための図である。
【図２】課題を説明するための図である。
【図３】本発明の実施の形態におけるシステムの全体構成図である。
【図４】網間接続制御装置１００の機能構成図である。
【図５】網間接続制御装置１００のハードウェア構成の例を示す図である。
【図６】接続シーケンス例１を示す図である。
【図７】接続シーケンス例２を示す図である。
【図８】接続シーケンス例３を示す図である。
【発明を実施するための形態】
【００２８】
以下、図面を参照して本発明の実施の形態を説明する。なお、以下で説明する実施の形態は一例に過ぎず、本発明が適用される実施の形態は、以下の実施の形態に限られるわけではない。例えば、以下で説明する各事業者網は移動通信事業者のコアネットワークであることを想定するが、本発明は事業者網が移動通信事業者のコアネットワークである場合に限らずに適用可能である。
【００２９】
（システム全体構成）
図３は、本実施の形態におけるＩＰ相互接続網（以下、相互接続網と呼ぶ）の構成例を説明するための図である。ここに示す網構成は、事業者網間の接続構成としては図１、図２に示した構成と同様である。
【００３０】
すなわち、図３に示す相互接続網は、事業者Ａの網である事業者Ａ網、事業者Ｂの網である事業者Ｂ網、事業者Ｃの網である事業者Ｃ網が相互接続されている網である。各事業者網は、ＳＩＰ（Ｓｅｓｓｉｏｎ  Ｉｎｉｔｉａｔｉｏｎ  Ｐｒｏｔｏｃｏｌ）によりセッション制御が行われる通信網である。
【００３１】
図３は、特に事業者Ａ網に着目した図であり、事業者Ａ網の境界部分に備えられる網間接続制御装置１００が示されているが、他の事業者網の境界部分にも網間接続制御装置が備えられてもよい。本実施の形態における網間接続制御装置１００は、例えば、ＩＭＳでのＩＢＣＦ（Ｉｎｔｅｒｃｏｎｎｅｃｔｉｏｎ  Ｂｏｒｄｅｒ  Ｃｏｎｔｒｏｌ  Ｆｕｎｃｔｉｏｎ）及び／又はＴｒＧＷ（Ｔｒａｎｓｉｔｉｏｎ  Ｇａｔｅｗａｙ）の機能を含む装置である。
【００３２】
図３の例では、事業者Ａ網及び事業者Ｃ網はＩＭＳ網であり、フォーキングをサポートしている。事業者Ｂ網は非ＩＭＳ網であり、フォーキングをサポートしていない。例えば、事業者Ｂ網は、事業者Ｂの社内向けのＩＰセントレックス網である。前述したとおり、フォーキングをサポートしているとは、例えば、非特許文献２で規定されているＣＡＴのフォーキングモデルをサポートしていることである。ただし、非特許文献２で規定されているＣＡＴのフォーキングモデルをサポートしていない場合であっても、他のサービスに係るフォーキングをサポートしている場合はある。事業者Ｂ網は、いずれのフォーキングもサポートしていないものとする。また、本実施の形態では、「事業者Ｂ網」を発信元の端末（ＵＥ）を含む網として解釈し、信号を中継する網がフォーキングをサポートし、当該網に接続される発信元の端末がフォーキングをサポートしない場合も、「事業者Ｂ網がフォーキングをサポートしていない」場合に含まれる。
【００３３】
図３の各事業者網の網内には、図示を省略しているが、ＳＩＰ（Ｓｅｓｓｉｏｎ  Ｉｎｉｔｉａｔｉｏｎ  Ｐｒｏｔｏｃｏｌ）によるセッション制御を行う装置が備えられている。信号の送受信は当該装置を経由してなされている。当該装置は、例えば、ＩＭＳ網でのＳ−ＣＳＣＦ（Ｓｅｒｖｉｎｇ−Ｃａｌｌ  Ｓｅｓｓｉｏｎ  Ｃｏｎｔｒｏｌ  Ｆｕｎｃｔｉｏｎ）の機能を備える装置である。
【００３４】
また、図３に示すように、事業者Ｃ網には、フォーキングにより接続要求信号を分岐して送信する機能を含む分岐サービス装置２００が備えられている。当該分岐サービス装置２００は例えば非特許文献２に記載されている、フォーキングモデルをサポートするＣＡＴ−ＡＳである。
【００３５】
ただし、分岐サービス装置２００が提供可能なフォーキングを用いたサービスは、ＣＡＴメディア送信のフォーキングモデルに限らず、他のサービスを提供することも可能である。他のサービスの一例として、分岐サービス装置２００からのアーリーメディア送信を行うことなく着信側ＵＥからのＲＢＴ（リングバックトーン）を転送することにより、代表番号接続を行うサービスがある。
【００３６】
（装置構成）
次に、上記システムにおける網間接続制御装置１００の構成例を説明する。図４に、本実施の形態における網間接続制御装置１００の機能構成図を示す。図４に示すように、網間接続制御装置１００は、要求信号転送部１０１、応答信号処理部１０２を含む。
【００３７】
なお、図４は、網間接続制御装置１００において本発明の実施の形態に特に関連する機能部のみを示すものであり、事業者網間を接続する動作を行うための図示しない機能も有するものである。また、図４に示す機能構成は一例に過ぎない。本実施の形態に係る動作を実行できるのであれば、機能区分や機能部の名称はどのようなものでもよい。
【００３８】
要求信号転送部１０１は、ＵＥ（ユーザ装置）から送出され、事業者Ａ網／事業者Ｂ網におけるＳＩＰのセッション制御を行う装置（例：ＩＭＳ網でのＳ−ＣＳＣＦ）により転送された接続要求信号を受信し、当該接続要求信号の宛先に従って、当該接続要求信号を他の網（本実施の形態では事業者Ｃ網）に転送する機能を含む。要求信号転送部１０１は、例えば、事業者網間でのＳＩＰメッセージの相違を吸収するために、ＳＩＰメッセージの変換を行う機能を含んでもよい。
【００３９】
応答信号処理部１０２は、フォーキングによる接続要求信号の送信に起因して、事業者Ｃ網から事業者Ａ網／事業者Ｂ網に向けて転送されてきた複数の応答信号（例：暫定応答信号）を受信し、当該複数の応答信号から１つの応答信号を選択して接続要求信号の発信元のＵＥ宛てに転送する機能を含む。なお、選択する応答信号は１つに限られず、受信した複数の応答信号の中の一部の複数の応答信号を選択し、転送することとしてもよい。
【００４０】
なお、要求信号転送部１０１は、ＳＩＰにおけるリクエスト信号の送受信を行うことに限定されるわけではなく、レスポンス信号の送受信を行うこととしてもよい。要求信号転送部１０１は、更に、音声やビデオ等のメディアデータを送受信する機能を含んでもよい。また、応答信号処理部１０２は、ＳＩＰにおけるレスポンス信号の送受信を行うことに限定されるわけではなく、リクエスト信号の送受信を行うこととしてもよい。応答信号処理部１０２は、更に、音声やビデオ等のメディアデータを送受信する機能を含んでもよい。
【００４１】
本実施の形態に係る網間接続制御装置１００は、例えば、１つ又は複数のコンピュータ（サーバ）に、本実施の形態で説明する処理内容を記述したプログラムを実行させることにより実現可能である。すなわち、網間接続制御装置１００が有する機能は、当該コンピュータに内蔵されるＣＰＵやメモリなどのハードウェア資源を用いて、網間接続制御装置１００で実施される処理に対応するプログラムを実行することによって実現することが可能である。また、上記プログラムは、コンピュータが読み取り可能な記録媒体（可搬メモリ等）に記録して、保存したり、配布したりすることが可能である。また、上記プログラムをインターネットや電子メールなど、ネットワークを通して提供することも可能である。
【００４２】
上記のようなコンピュータにより網間接続制御装置１００を構成する場合における網間接続制御装置１００のハードウェア構成の例を図５に示す。
【００４３】
図５に示すように、当該網間接続制御装置１００は、ＣＰＵ１５１、ＲＡＭ（Ｒａｎｄｏｍ  Ａｃｃｅｓｓ  Ｍｅｍｏｒｙ）１５２、ＲＯＭ（Ｒｅａｄ  Ｏｎｌｙ  Ｍｅｍｏｒｙ）１５３、通信を行うための通信モジュール１５４、ハードディスク等の補助記憶装置１５５、入力装置１５６、出力装置１５７を備える。
【００４４】
ＲＡＭ１５２、ＲＯＭ１５３、補助記憶装置１５５等の記憶手段に格納されたプログラムをＣＰＵ１５１が読み出し、実行することにより、要求信号転送部１０１、応答信号処理部１０２の各機能の動作が実行される。また、要求信号転送部１０１、応答信号処理部１０２の各機能部における処理に中で、ネットワーク通信を行う処理については、通信モジュール１５４が使用される。また、入力装置１５６により、例えば、網間接続制御装置１００に対する設定情報の入力を行い、出力装置１５７により、例えば、網間接続制御装置１００の稼働状態の出力等を行うことができる。
【００４５】
（システムの動作例）
＜接続シーケンス例１＞
次に、本実施の形態に係るシステムの動作例として、図６を参照して接続シーケンス例１を説明する。接続シーケンス例１では、事業者Ａ網からの発信と、事業者Ｂ網からの発信とで同じ処理内容となることから、例として、事業者Ａ網（ＵＥ−Ａ）からの発信を示している。図６では、事業者Ｂ網からの発信でも同様であることを（Ｂ）として示している。
【００４６】
ユーザＡがＵＥ−Ａにおいて、例えば、ＵＥ−Ｃ１〜Ｃ３に共通の代表番号（ユーザＣ代表番号と呼ぶ）に発信する操作を行うと、ユーザＣ代表番号を宛先として含む接続要求信号が送出される（ステップ１０１）。網間接続制御装置１００における要求信号転送部１０１は、転送されてきた当該接続要求信号を受信し、当該接続要求信号を事業者Ｃ網に転送する。当該接続要求信号は分岐サービス装置２００に転送される（ステップ１０２）。
【００４７】
分岐サービス装置２００は、フォーキング機能により、接続要求信号を、ユーザＣ代表番号に該当するＵＥ−Ｃ１〜Ｃ３に送信する（ステップ１０３〜１０５）。
【００４８】
接続要求信号を受信したＵＥ−Ｃ１〜Ｃ３はそれぞれ、応答信号（ここでは、例として暫定応答信号とする）を送信し、当該暫定応答信号は分岐サービス装置２００に転送される（ステップ１０６、１０８、１１０）。各ＵＥから暫定応答信号を受信した分岐サービス装置２００は、各ＵＥの暫定応答信号を送出し、当該暫定応答信号は網間接続制御装置１００に転送される（ステップ１０７、１０９、１１１）。
【００４９】
ステップ１０７、１０９、１１１により、網間接続制御装置１００における応答信号処理部１０２は３つの暫定応答信号を受信する。
【００５０】
３つの暫定応答信号を受信する応答信号処理部１０２は、３つの暫定応答信号のうちから１つの暫定応答信号を選択し、当該暫定応答信号をＵＥ−Ａに対して送信し、ＵＥ−Ａは当該暫定応答信号を受信する（ステップ１１２）。本例は事業者Ａ網が発信元となる例であるが、フォーキングをサポートしていない事業者Ｂ網が発信元となる場合でも、１つの暫定応答信号を転送することは通常の処理であるため、暫定応答信号は正常に発信元のＵＥに届く。また、応答信号処理部１０２は、選択しなかった暫定応答信号の情報（例：ダイアログを識別する情報、メディアの情報等）を保持しておく。
【００５１】
なお、図６は、網間接続制御装置１００が３つの暫定応答信号を受信した後に、ＵＥ−Ａに１つの暫定応答信号を送信することを示しているが、これは図示の便宜上のものである。例えば、最初の暫定応答信号を受信した直後に当該暫定応答信号をＵＥ−Ａに送信してもよい。
【００５２】
暫定応答信号に基づき、例えばＵＥ−ＡにおいてＲＢＴが出力される。また、例えば当該暫定応答信号がメディアのコーデック情報等を含み、当該暫定応答信号に対する確認応答が分岐サービス装置２００に返されることにより、分岐サービス装置２００からアナウンス等のメディアがＵＥ−Ａに送信されることとしてもよい。
【００５３】
応答信号処理部１０２が、３つの暫定応答信号のうちから１つの暫定応答信号を選択する方法は特定の方法に限られないが、例えば、最初に受信した暫定応答信号を選択し、ＵＥ−Ａに送信し、最初の暫定応答信号受信の後に受信した暫定応答信号（ステップ１０１で送信した接続要求信号に対する暫定応答信号）はＵＥ−Ａに送信しないこととしてよい。
【００５４】
また、例えば、分岐サービス装置２００（又は各ＵＥ）が、各暫定応答信号に暫定応答信号送信元ＵＥの識別情報と、フォーキングにより受信した接続要求信号に対する暫定応答信号であることを示す識別情報を含めて送信し、これら識別情報を含む複数の暫定応答信号を応答信号処理部１０２が受信し、応答信号処理部１０２が、フォーキングに係る接続要求信号に対する複数の暫定応答信号の中から、特定のＵＥの暫定応答信号を選択して送信することとしてもよい。特定のＵＥは、例えば、最も最終応答をする可能性が高いものとして応答信号処理部１０２に予め設定しておくことができる。
【００５５】
その後、例えば、フォーキングで接続要求信号を受信したＵＥ−Ｃ１〜Ｃ３のうちのＵＥ−Ｃ２のユーザが最初に応答操作を行い、ＵＥ−Ｃ２から最終応答信号が送信される（ステップ１１３）。当該最終応答信号は、分岐サービス装置２００及び網間接続制御装置１００（応答信号処理部１０２）を経由してＵＥ−Ａに転送される（ステップ１１４、１１５）。これにより、ＵＥ−ＡとＵＥ−Ｃ２間で通話セッションが確立され、通話を行うことができる。
【００５６】
なお、ステップ１１２において送信した暫定応答信号がＵＥ−Ｃ２に対応するものである場合、網間接続制御装置１００はＵＥ−Ｃ２から送信された最終応答信号をそのままＵＥ−Ａに転送することで、ＵＥ−ＡとＵＥ−Ｃ２間で通話セッションが確立される。
【００５７】
一方、ステップ１１２において送信した暫定応答信号がＵＥ−Ｃ２に対応するものでなく、例えばＵＥ−Ｃ１に対応するものである場合、網間接続制御装置１００の応答信号処理部１０２は、ＵＥ−Ｃ２から送信された最終応答信号を受信した後に、例えば、保持しておいたＵＥ−Ｃ２の暫定応答信号の情報（例：ダイアログ（呼）を識別する情報）を含む呼切り替えの指示信号（例：ＵＰＤＡＴＥ、ｒｅ−Ｉｎｖｉｔｅ、その他の信号）をＵＥ−Ａに送信することで、ＵＥ−Ａに対し、ＵＥ−Ｃ１との間の呼接続から、ＵＥ−Ｃ２との間の呼接続に切り替えを行わせ、その後に、ＵＥ−Ｃ２から送信された最終応答信号をＵＥ−Ａに送信することとしてよい。なお、この処理は一例に過ぎず、他の方法でＵＥ−Ｃ２との呼接続を行うこととしてもよい。
【００５８】
＜接続シーケンス例２＞
次に、本実施の形態に係るシステムの動作例として、図７を参照して接続シーケンス例２を説明する。接続シーケンス例２では、フォーキングをサポートする事業者Ａ網からの発信と、フォーキングをサポートしない事業者Ｂ網からの発信とで異なる処理内容となる。フォーキングをサポートしない事業者Ｂ網からの発信の場合は、接続シーケンス例１と同じである。図７は、事業者Ａ網からの発信の場合を示している。図７において、接続シーケンス例１と同様のステップについては同じステップ番号を使用しており、それについては簡潔に説明する。
【００５９】
ユーザＡがＵＥ−Ａにおいて、ユーザＣ代表番号に発信する操作を行うと、ユーザＣ代表番号を宛先として含む接続要求信号が送出され（ステップ１０１）、網間接続制御装置１００を経由して分岐サービス装置２００に転送される（ステップ１０２）。分岐サービス装置２００は、フォーキング機能により、接続要求信号を、ユーザＣ代表番号に該当するＵＥ−Ｃ１〜Ｃ３に送信する（ステップ１０３〜１０５）。
【００６０】
接続シーケンス例２では、ステップ１０１で接続要求信号を受信した網間接続制御装置１００の要求信号転送部１０１は、当該接続要求信号が、フォーキングをサポートする網から送出された信号であることを判別する。判別する方法は特定の方法に限られないが、例えば、接続要求信号の送信元のアドレスから判別する。この場合、要求信号転送部１０１は、どのアドレスがフォーキングをサポートする網のアドレスであるかを示す情報を保持しているものとする。
【００６１】
接続要求信号を受信したＵＥ−Ｃ１〜Ｃ３はそれぞれ、暫定応答信号を送信し、当該暫定応答信号は分岐サービス装置２００に転送され（ステップ１０６、１０８、１１０）、網間接続制御装置１００に転送される（ステップ１０７、１０９、１１１）。
【００６２】
ステップ１０７、１０９、１１１により、網間接続制御装置１００における応答信号処理部１０２は３つの暫定応答信号を受信する。
【００６３】
３つの暫定応答信号を受信する応答信号処理部１０２は、上述した判別結果に基づいて、当該暫定応答信号がそれぞれ、フォーキングをサポートする網から送出された接続要求信号に対する応答であることを識別し、その結果、１つの暫定応答信号を選択する処理を行わない。従って、応答信号処理部１０２は各暫定応答信号をＵＥ−Ａに対して送信し、ＵＥ−Ａは各暫定応答信号を受信する（ステップ１１２−１〜１１２−３）。
【００６４】
その後、例えば、フォーキングで接続要求信号を受信したＵＥ−Ｃ１〜Ｃ３のうちのＵＥ−Ｃ２のユーザが最初に応答操作を行い、ＵＥ−Ｃ２から最終応答信号が送信される（ステップ１１３）。当該最終応答信号は、分岐サービス装置２００及び網間接続制御装置１００（応答信号処理部１０２）を経由してＵＥ−Ａに転送される（ステップ１１４、１１５）。これにより、ＵＥ−ＡとＵＥ−Ｃ２間で通話セッションが確立され、通話を行うことができる。
【００６５】
＜接続シーケンス例３＞
次に、本実施の形態に係るシステムの動作例として、図８を参照して接続シーケンス例３を説明する。接続シーケンス例３では、分岐サービス装置２００が、非特許文献２で規定されているＣＡＴフォーキングモデルをサポートするＣＡＴ−ＡＳであることを想定して、より具体的な例について説明する。
【００６６】
接続シーケンス例１と同様に、接続シーケンス例３では、事業者Ａ網からの発信と、事業者Ｂ網からの発信とで同じ処理内容となることから、例として、事業者Ａ網（ＵＥ−Ａ）からの発信を示している。図８では、事業者Ｂ網からの発信でも同様であることを（Ｂ）として示している。また、以下の説明では、各信号において括弧内に具体的な信号名とダイアログ識別情報（Ｄ１、Ｄ２等）を記述している。また、本例では、ＵＥを含む各装置は、複数ダイアログを処理するための十分なリソースを有しているものとする。
【００６７】
ユーザＡがＵＥ−Ａにおいて、ユーザＣ代表番号に発信する操作を行うと、ユーザＣ代表番号を宛先として含む接続要求信号（ＩＮＶＩＴＥ）が送出される（ステップ２０１）。網間接続制御装置１００における要求信号転送部１０１は、転送されてきた当該接続要求信号（ＩＮＶＩＴＥ）を受信し、当該接続要求信号（ＩＮＶＩＴＥ）を事業者Ｃ網に転送する。当該接続要求信号（ＩＮＶＩＴＥ）は分岐サービス装置２００に転送される（ステップ２０２）。
【００６８】
分岐サービス装置２００は、フォーキング機能により、接続要求信号（ＩＮＶＩＴＥ）を、ユーザＣ代表番号に該当するＵＥ−Ｃ１〜Ｃ３に送信する（ステップ２０３〜２０５）。
【００６９】
例として、接続要求信号を受信したＵＥ−Ｃ１が最初に暫定応答信号（１８０、Ｄ２）を送信し、当該暫定応答信号（１８０、Ｄ２）は分岐サービス装置２００に転送される（ステップ２０６）。ＵＥ−Ｃ１からの暫定応答信号（１８０、Ｄ２）を受信した分岐サービス装置２００は、暫定応答信号（１８３、Ｄ１）を送出し、当該暫定応答信号（１８３、Ｄ１）は網間接続制御装置１００に転送される（ステップ２０７）。
【００７０】
本例では、最初に受信した暫定応答信号（１８３）をＵＥ−Ａに転送することとしていることから、網間接続制御装置１００における応答信号処理部１０２は暫定応答信号（１８３、Ｄ１）をＵＥ−Ａに転送し（ステップ２０８）、ＵＥ−Ａにアーリーダイアログを確立させ、ＵＥ−Ａから確認信号（ＰＲＡＣＫ、Ｄ１）を受信し（ステップ２０９）、当該確認信号（ＰＲＡＣＫ、Ｄ１）を分岐サービス装置２００に転送する（ステップ２１０）。例えば、暫定応答信号（１８３、Ｄ１）にはアーリーメディアのコーデック情報が含まれており、暫定応答信号（１８３、Ｄ１）を受信したＵＥ−Ａは、アーリーメディアの受信・復号が可能となる。
【００７１】
確認信号（ＰＲＡＣＫ、Ｄ１）を受信した分岐サービス装置２００は、アーリーメディアのＵＥ−Ａへの送信を開始する（ステップ２１１）。
【００７２】
網間接続制御装置１００の応答信号処理部１０２は、ＵＥ−Ｃ２から暫定応答信号（１８３、Ｄ３）を受信し（ステップ２１２、２１３）、ＵＥ−Ｃ３から暫定応答信号（１８３、Ｄ４）を受信するが（ステップ２１４、２１５）、既に暫定応答信号（１８３、Ｄ１）をＵＥ−Ａに転送しているため、ＵＥ−Ｃ２、Ｃ３から受信した暫定応答信号（１８３）はＵＥ−Ａに転送せずに、その情報をメモリ等の記憶手段に保持しておく。
【００７３】
その後、例えば、フォーキングで接続要求信号を受信したＵＥ−Ｃ１〜Ｃ３のうちのＵＥ−Ｃ１のユーザが最初に応答操作を行い、ＵＥ−Ｃ１から最終応答信号（２００ＯＫ、Ｄ２）が送信される（ステップ２１６）。当該最終応答信号（２００ＯＫ、Ｄ２）を受信した分岐サービス装置２００は、アーリーメディアの送信を停止して（ステップ２１７）、当該最終応答信号（２００ＯＫ、Ｄ２）を網間接続制御装置１００に転送し（ステップ２１８）、網間接続制御装置１００は当該最終応答信号（２００ＯＫ、Ｄ２）をＵＥ−Ａに転送する（ステップ２１９）。これにより、ＵＥ−ＡとＵＥ−Ｃ１間で通話セッションが確立され、通話を行うことができる。
【００７４】
なお、ステップ２１６において、最終応答信号（２００ＯＫ）が、ＵＥ−Ｃ１ではなく、例えばＵＥ−Ｃ２から送信された場合（２００ＯＫ、Ｄ３の場合）、これを受信した分岐サービス装置２００は、アーリーメディアの送信を停止して（ステップ２１７）、当該最終応答信号（２００ＯＫ、Ｄ３）を網間接続制御装置１００に転送する（ステップ２１８）、網間接続制御装置１００は、例えば、ダイアログ（呼）をＤ２からＤ３に切り替える信号をＵＥ−Ａに送信した後に、最終応答信号（２００ＯＫ、Ｄ３）をＵＥ−Ａに転送する（ステップ２１９）。これにより、ＵＥ−ＡとＵＥ−Ｃ２間で通話セッションが確立され、通話を行うことができる。
【００７５】
以上、説明したように、本実施の形態により、ある通信網と他通信網とを相互接続するために使用される網間接続制御装置であって、前記通信網における発信元ユーザ装置から送信された接続要求信号を前記他通信網に転送する要求信号転送部と、前記接続要求信号を受信した前記他通信網において分岐され、複数の着信先ユーザ装置に転送された当該接続要求信号に対する複数の応答信号を当該他通信網から受信し、当該複数の応答信号における１つの応答信号を前記発信元ユーザ装置に転送する応答信号処理部とを備える網間接続制御装置が提供される。
【００７６】
上記の構成を採用することにより、複数の通信網が接続された相互接続網において、フォーキングをサポートする通信網とフォーキングをサポートしない通信網間でフォーキングに係る通信を適切に行うことが可能となる。なお、ここでの「フォーキングをサポートしない通信網」は、信号を中継する網がフォーキングをサポートするが、当該網に接続される発信元の端末（通信網に含まれる）がフォーキングをサポートしない場合を含む。
【００７７】
前記応答信号処理部は、例えば、前記他通信網から受信する複数の応答信号のうち、最初に受信した応答信号を前記発信元ユーザ装置に転送する。この構成により、比較的簡易な制御で迅速に応答信号を発信元ユーザ装置に転送できる。
【００７８】
前記要求信号転送部は、前記接続要求信号の発信元である前記通信網において、接続要求信号を分岐させて着信させるフォーキングサービスがサポートされているか否かを判定し、前記通信網において当該フォーキングサービスがサポートされている場合に、前記応答信号処理部は、前記複数の応答信号を前記発信元ユーザ装置に転送することとしてもよい。この構成により、複数の応答信号を処理可能な網に対して応答信号を選択する処理を行わないようにすることができる。
【００７９】
例えば、前記応答信号は暫定応答信号であり、前記応答信号処理部が当該暫定応答信号を前記発信元ユーザ装置に転送することにより、当該発信元ユーザ装置にアーリーダイアログを確立させるようにしてもよい。この構成により、例えば、ＣＡＴメディアのフォーキングモデルに準拠したサービスを提供できる。
【００８０】
前記応答信号処理部は、前記１つの応答信号を前記発信元ユーザ装置に転送した後、当該応答信号に対応する着信先ユーザ装置以外の着信先ユーザ装置から送信された最終応答信号を前記他通信網から受信した場合に、前記発信元ユーザ装置に対して呼の切り替えを指示する信号を送信した後に、前記最終応答信号を前記発信元ユーザ装置に送信することとしてもよい。この構成により、どの着信先ユーザ装置から最終応答があっても適切に発着信ユーザ装置間を接続できる。
【００８１】
例えば、前記各通信網は、ＳＩＰによるセッション制御が行われる通信網であり、前記網間接続制御装置は、通信網の境界部分に備えられる。このように、ＳＩＰによるセッション制御が行われる通信網を対象とすることで、例えばＩＭＳ網やその他のＳＩＰ網に本発明を効果的に適用することができる。
【００８２】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、網間接続制御装置１００は機能的なブロック図を用いて説明されたが、網間接続制御装置１００はハードウェアで、ソフトウェアで又はそれらの組み合わせで実現されてもよい。本発明の実施の形態に従って網間接続制御装置１００が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００８３】
本発明は上記実施形態に限定されず、本発明の精神から逸脱することなく、様々な変形例、修正例、代替例、置換例等が本発明に包含される。
【００８４】
本特許出願は２０１４年１２月２５日に出願した日本国特許出願第２０１４−２６３５６０号に基づきその優先権を主張するものであり、日本国特許出願第２０１４−２６３５６０号の全内容を本願に援用する。
【符号の説明】
【００８５】
１０、１００  網間接続制御装置
２０、２００  分岐サービス装置
１０１  要求信号転送部
１０２  応答信号処理部
１５１  ＣＰＵ
１５２  ＲＡＭ
１５３  ＲＯＭ
１５４  通信モジュール
１５５  補助記憶装置
１５６  入力装置
１５７  出力装置
【図１】
2016104622.tif 000003
【図２】
2016104622.tif 000004
【図３】
2016104622.tif 000005
【図４】
2016104622.tif 000006
【図５】
2016104622.tif 000007
【図６】
2016104622.tif 000008
【図７】
2016104622.tif 000009
【図８】
2016104622.tif 000010
【国際調査報告】
2016104622.tif 000011
2016104622.tif 000012
2016104622.tif 000013
2016104622.tif 000014